(57)【要約】      （修正有）【課題】圧入時にバスバーの位置ずれや傾きが生じることや、ケースに取り付けられたバスバーが外力で変形するのを防止できるようにする。【解決手段】バスバーの取付構造は、ケースの表面に設けられてバスバー２の圧入部２１が圧入されたハウジング１１と、ケースの表面に設けられてバスバーの底面部２２を収容した収容部１２とを備えている。ハウジングには、ハウジングの幅方向の一端から他端にかけて延びた溝１１１が備えられている。溝には、バスバーの圧入部が圧入される。溝の長さ方向の中央部の底面には、圧入穴が開口している。圧入穴には、バスバーが圧入部に備えた圧入片が圧入される。収容部には、底面部の先端部から上方に延びた端子２３の基端部が収容される。収容部には、嵌合部１２１が備えられている。嵌合部には、底面部の先端部の切欠部が嵌合する。【選択図】図２
2014017922.tif 000002
【特許請求の範囲】
【請求項１】
バスバーは、ケースに保持される圧入部と、前記圧入部と一体的に形成され、前記ケースの表面に載置される底面部を備え、
前記ケースは、前記ケースの表面に設けられて、前記バスバーの圧入部が圧入されるハウジングと、前記ケースの表面に設けられて、前記バスバーの底面部が圧入でない状態で収容される収容部を備える、ことを特徴とするバスバーの取付構造。
【請求項２】
前記底面部から、前記底面部を基端として端子が延びており、
前記収容部は、前記圧入部の圧入方向と同一方向に起立した側壁により、前記端子の基端部を収容している、ことを特徴とする請求項１に記載のバスバーの取付構造。
【発明の詳細な説明】
【技術分野】
【０００１】
本発明は、ケースに対するバスバーの取付構造に関する。
【背景技術】
【０００２】
従来、電気接続箱等のケースにバスバーを取り付ける際には、下記の特許文献１に示すように、端子ホルダのようなハウジングの圧入溝に圧入片を圧入していた。
【先行技術文献】
【特許文献】
【０００３】
【特許文献１】特開平０３−０１１５７４号公報
【発明の概要】
【発明が解決しようとする課題】
【０００４】
上記従来の取付構造では、バスバーを圧入する際に圧入片が幅方向に傾き、バスバーの位置ずれが生じたり、バスバーが傾いたりする虞があった。また、圧入後には圧入片の幅方向に外力が加えられるとバスバーが変形する虞があった。
【０００５】
本発明は斯かる課題に鑑みてなされたもので、上記課題を解決できるバスバーの取付構造を提供することを目的とする。
【課題を解決するための手段】
【０００６】
このような目的を達成するために、本発明のバスバーの取付構造は、バスバーは、ケースに保持される圧入部と、前記圧入部と一体的に形成され、前記ケースの表面に載置される底面部を備え、前記ケースは、前記ケースの表面に設けられて、前記バスバーの圧入部が圧入されるハウジングと、前記ケースの表面に設けられて、前記バスバーの底面部が圧入でない状態で収容される収容部を備える、ことを特徴とする。
また、本発明は、前記底面部から、前記底面部を基端として端子が延びており、前記収容部は、前記圧入部の圧入方向と同一方向に起立した側壁により、前記端子の基端部を収容している、ことを特徴とする。
【発明の効果】
【０００７】
本発明によれば、バスバーが圧入されるハウジングの他にバスバーの底面部を収容する収容部をケースに設けることでバスバーの姿勢を安定させ、圧入時にバスバーの位置ずれや傾きが生じることや、ケースに取り付けられたバスバーが外力で変形するのを防止できる。
【図面の簡単な説明】
【０００８】
【図１】本発明の一実施形態のバスバーの取付構造を示す斜視図である。
【図２】図１のバスバーの取付構造を示す平面図である。
【図３】図１のバスバーの取付構造を示す図であり、（ａ）は背面図，（ｂ）は左側面図，（ｃ）は右側面図，（ｄ）は正面図である。
【図４】図２のＤ−Ｄ矢視断面図である。
【図５】図２のＥ−Ｅ矢視断面図である。
【図６】図２のＦ−Ｆ矢視断面図である。
【図７】図１のバスバーを示す斜視図であり、（ａ）はケースへの取付前，（ｂ）は取付後を示している。
【図８】図１のケースを示す斜視図である。
【図９】図１のケースを示す平面図である。
【図１０】図１のケースを示す図であり、（ａ）は背面図，（ｂ）は左側面図，（ｃ）は右側面図，（ｄ）は正面図である。
【図１１】図９のＡ−Ａ矢視断面図である。
【図１２】図９のＢ−Ｂ矢視断面図である。
【図１３】図９のＣ−Ｃ矢視断面図である。
【発明を実施するための形態】
【０００９】
以下、図面を参照して、本発明の一実施形態を説明する。
【００１０】
図１〜６に示すバスバーの取付構造は、ケース１の表面に設けられてバスバー２の圧入部２１が圧入されたハウジング１１と、ケース１の表面に設けられてバスバー２の底面部２２を収容した収容部１２とを備えている。
【００１１】
バスバー２は、図７に示すように、１枚の板状体を折り曲げて形成されており、ケース１の表面に載置される底面部２２と、底面部２２から上方に延びた２本の端子２３と、底面部２２から立ち上がった立上部２４と、立上部２４から側方に延びた圧入部２１とを備えている。圧入部２１は、ハウジング１１に圧入される圧入片２１１を備えている。端子２３は、底面部２２の先端部に形成されている。底面部２２は、２本の端子２３の形成箇所の間に切欠部２２１を備えている。底面部２２は、端子２３が圧入部２１の幅方向に並ぶよう設けられている。
【００１２】
ハウジング１１は、図８〜１３に示すように、ケース１の表面に設けられている。ハウジング１１には、ハウジング１１の幅方向の一端から他端にかけて延びた溝１１１が備えられている。溝１１１には、図２〜７に示すように、バスバー２の圧入部２１が圧入される。
【００１３】
溝１１１の長さ方向の中央部には、幅狭部１１１ａが形成されている。溝１１１の長さ方向の中央部の底面には、圧入穴１１２が開口している。圧入穴１１２には、図２〜７に示すように、バスバー２が圧入部２１に備えた圧入片２１１が圧入される。
【００１４】
収容部１２は、図８〜１３に示すように、ケース１の表面に設けられており、平面視Ｅ字状の凹形状を呈している。収容部１２には、図２〜７に示すように、バスバー２の底面部２２、及び、底面部２２の先端部から上方に延びた端子２３の基端部が、圧入でない状態で収容される。収容部１２には、嵌合部１２１が備えられている。嵌合部１２１には、図２〜７に示すように、底面部２２の先端部の切欠部２２１が嵌合する。
【００１５】
次に、ケース１にバスバー２を取り付ける際の動作を説明する。
【００１６】
ケース１にバスバー２を取り付ける際には、図７（ａ）に示すように、圧入部２１がハウジング１１の上方に、底面部２２が収容部１２の上方にそれぞれ位置するように、バスバー２をケース１の上方に位置させる。続いて、図７（ａ）に太矢印で示すようにバスバー２をケース１側に押し込み、ハウジング１１の溝１１１に圧入部２１を、収容部１２に底面部２２をそれぞれ嵌合させる。これにより、図７（ｂ）に示すように、圧入穴１１２に圧入片２１１が圧入され、収容部１２の嵌合部１２１に切欠部２２１が嵌合する。
【００１７】
本実施形態によれば、バスバー２をケース１側に押し込む際、底面部２２が収容部１２に収容されることで、圧入部２１が圧入穴１１２に対して所定の位置に位置決めされる。このため、圧入穴１１２に対する圧入部２１の圧入精度を向上させることができる。また、バスバー２の取付後には、圧入部２１の幅方向に外力が働いた際にバスバー２が傾き難くなり、バスバー２が変形するのを防止できる。
【００１８】
なお、上記実施形態では、底面部２２から２本の端子２３が延びている場合について説明したが、底面部２２から延びた端子２３の本数は任意である。また、上記実施形態では、圧入部２１が板状体から構成されている場合について説明したが、圧入部２１の構成は任意である。例えば、圧入部２１が圧入片２１１を備えていなくてもよい。また、上記実施形態では、端子２３が圧入部２１の幅方向に並んで設けられている場合について説明したが、圧入部２１の幅方向に並んでいなくてもよい。
【符号の説明】
【００１９】
１            ケース
１１          ハウジング
１１１        溝
１１１ａ      幅狭部
１１２        圧入穴
１２          収容部
１２１        嵌合部
２            バスバー
２１          圧入部
２１１        圧入片
２２          底面部
２２１        切欠部
２３          端子
２４          立上部
【図１】
2014017922.tif 000003
【図２】
2014017922.tif 000004
【図３】
2014017922.tif 000005
【図４】
2014017922.tif 000006
【図５】
2014017922.tif 000007
【図６】
2014017922.tif 000008
【図７】
2014017922.tif 000009
【図８】
2014017922.tif 000010
【図９】
2014017922.tif 000011
【図１０】
2014017922.tif 000012
【図１１】
2014017922.tif 000013
【図１２】
2014017922.tif 000014
【図１３】
2014017922.tif 000015